(57)【特許請求の範囲】
【請求項１】
演奏手段と、歌唱採点手段と、ポートレート作成手段と、ビデオカメラと、ディスプレイと、ビデオプリンタを備えたカラオケ装置であって、
演奏手段は、カラオケ楽曲の伴奏音楽を演奏し、
歌唱採点手段は、伴奏音楽の演奏中に、これに合わせて歌唱する人の歌唱力を逐次評価して、採点データを逐次出力し、
ポートレート作成手段は、撮影処理と、画像変形処理と、印刷処理を可能とし、
撮影処理は、伴奏音楽の演奏に際し、ビデオカメラにより撮影された歌唱者の顔写真の静止画データを撮影画像格納部に格納し、
画像変形処理は、伴奏音楽の演奏中にて歌唱採点手段から採点データが出力されるごとに、撮影画像格納部から読み出した顔写真静止画データに対して採点データに応じた変形加工処理を加え、処理後の変形顔写真静止画データを変形画像格納部に逐次更新しつつ格納し、この変形顔写真静止画データをディスプレイに表示させ、
印刷処理は、変形画像格納部に格納された変形顔写真静止画データをビデオプリンタにより印刷させる
カラオケ装置。
【発明の詳細な説明】
【０００１】
【発明の属する技術分野】
本発明はカラオケ装置に関し、より具体的にはビデオカメラで撮影したカラオケ利用者のポートレートを作成する機能を備えたカラオケ装置に関する。
【０００２】
【従来の技術】
ポートレート作成装置は、ビデオカメラとビデオディスプレイとビデオプリンタを組み合わせたもので、利用者自身が操作して自分を撮影し、顔写真のシールをつくる機械である。この種の機械と同じポートレート作成機能を付加したカラオケ装置がある（特開平６−２８２２８６号のカラオケプリントシステム）。これは通常のカラオケ装置にビデオカメラとビデオプリンタを付加したもので、カラオケに合せて歌って楽しむだけでなく、歌っている姿のハードウェアコピーを簡単な操作で得られるようにしてある。
【０００３】
一方、カラオケ装置の付加機能として採点装置がよく知られている。これはカラオケ楽曲の伴奏音楽を生成するカラオケデータにおける音程と歌唱者の歌唱音程とを比較するなどして歌唱力を採点して得点を表示するものである。
【０００４】
【発明が解決しようとする課題】
採点機能とポートレート作成機能が両方付いたカラオケ装置で、カラオケ楽曲の演奏時に両機能を同時に作動させた場合、それぞれの機能による出力（得点、ポートレート印刷）は全く独自に行われる。もちろん、その出力状態は相互に関連性がない。
【０００５】
カラオケ装置におけるポートレート作成機能は街角などに設置されている専用のポートレート作成装置をカラオケ装置に付随させただけである。従って、作成されるポートレートも専用装置のものと変わらない。ただ、カラオケ会場でもポートレートが作成できるぐらいの利点しかない。
【０００６】
一方、採点機能は歌唱力を評価して得点を付ける。そのため、歌唱力に自身のある人たちにとってはある程度利用価値があるかもしれない。しかし、歌唱力の劣る人たちにとっては魅力ある機能とは言えず、これらの人たちが利用する機会は少ない。また、利用した場合でも低得点で意気消沈し、場も白けてさせてしまう可能性が高い。
【０００７】
普通、これらの機能を利用すると追加料金が課せられる。それによって、カラオケ店舗の収益を増加させることを目的としている。しかし実際には、ポートレートを敢えてカラオケ会場で作成する必要もないし、採点機能も歌唱力がある限られた人が利用するだけの場合が多い。したがって、収益増の目的は達成できず、カラオケ装置本体の設置やメンテナンスなどに掛けるコストが増加してしまう。
【０００８】
そこで本発明は、ポートレート作成機能付きのカラオケ装置において、採点機能を有効に活用し、歌唱力の有無に限らず歌唱者の気分や場の雰囲気を大いに盛り上げるような興味深いポートレートを作成するとともに、ポートレート作成機能の使用機会を増加させて、カラオケ店舗の集客力向上にも貢献させることを目的としている。
【０００９】
【課題を解決するための手段】
この発明に係るカラオケ装置は、分説すると、つぎの事項（１）〜（７）により特定されるものである。
（１）演奏手段と、歌唱採点手段と、ポートレート作成手段と、ビデオカメラと、ディスプレイと、ビデオプリンタを備えたカラオケ装置であること
（２）演奏手段は、カラオケ楽曲の伴奏音楽を演奏すること
（３）歌唱採点手段は、伴奏音楽の演奏中に、これに合わせて歌唱する人の歌唱力を逐次評価して、採点データを逐次出力すること
（４）ポートレート作成手段は、撮影処理と、画像変形処理と、印刷処理を可能とすること
（５）撮影処理は、伴奏音楽の演奏に際し、ビデオカメラにより撮影された歌唱者の顔写真の静止画データを撮影画像格納部に格納すること
（６）画像変形処理は、伴奏音楽の演奏中にて歌唱採点手段から採点データが出力されるごとに、撮影画像格納部から読み出した顔写真静止画データに対して採点データに応じた変形加工処理を加え、処理後の変形顔写真静止画データを変形画像格納部に逐次更新しつつ格納し、この変形顔写真静止画データをディスプレイに表示させること
（７）印刷処理は、変形画像格納部に格納された変形顔写真静止画データをビデオプリンタにより印刷させること
【００１０】
なお、多数の前記装飾図案データの中から前記採点データに基づいて１つの装飾図案データを選択することとしてもよい。
【００１１】
また、前記ポートレートを前記ディスプレイあるいは別系統のディスプレイに表示することとした。
【００１３】
【発明の実施の形態】
＝＝＝カラオケ装置の基本的な構成と動作＝＝＝
図１は本発明の実施例におけるカラオケ装置の構成図を示している。内部にＣＰＵ、ＲＡＭ、ＲＯＭを含む中央制御部１１が周辺各構成部に対しデータバス６０や制御バス７０を介してデータ通信や各種制御を行ってこのカラオケ装置１を統括している。カラオケ装置１におけるカラオケ楽曲の演奏動作は従来のカラオケ装置と同様にして以下の経路で行われる。
【００１４】
ハードディスク装置１２はカラオケ楽曲の伴奏音楽と歌詞画像を生成するためのカラオケデータが多数曲分蓄積されている。中央制御部１１はリモコン送信器１７や操作パネル１８から入力されたリクエスト入力を操作制御部１９を介して受け取ると、そのリクエスト入力順に従って該当のカラオケデータを順次処理していく。すなわち、リクエスト楽曲に対応するカラオケデータをハードディスク装置１２から取りだし、伴奏音楽生成データ（ＭＩＤＩデータなど）をシンセサイザ１３に転送し、伴奏音楽を生成させる。この伴奏音楽はミキシングアンプ１４でマイクロホン１５より入力された歌唱音声と混合されてスピーカ１６に出力される。
【００１５】
一方、歌詞描出データを伴奏音楽の生成処理に同期してビデオＲＡＭ２０に転送し、歌詞画像を順次ビットマップ展開させる。映像制御部２１はこの歌詞画像をビデオＣＤプレーヤ２２から出力される背景映像にスーパーインポーズしてディスプレイ２３に出力する。なお、映像制御部２１からディスプレイ２３への信号経路上にはビデオプリンタ４１が挿入されている。通常のカラオケ楽曲演奏時にはビデオプリンタ４１に入力された映像信号は印刷のための処理回路を経ず、そのまま通過してディスプレイ２３へ出力される。
【００１６】
採点部５０はマイクロホン１５から入力される歌唱音声をサンプリングして解析することで歌唱音程を抽出する。さらに、伴奏音楽生成データをデータバス６０を介して受け取り、このデータ中から音程データを基準音程として抽出する。そして、１小節毎など適宜な区分を採点区間として歌唱音程と基準音程とを比較する。これら２つの音程の差や音程をはずした回数などに基づいて所定の計算方法に従って採点区間における得点を算出する。演奏中に各採点区間毎で算出された得点を累計してその総合得点を採点データとしてデータバス上に送出する。もちろん、その総合得点をディスプレイに表示させるなど従来の採点機能と同様の動作をさせることもできる。
【００１７】
本実施例のカラオケ装置１は、上述の基本機能の他にビデオカメラが撮影した利用者の人物映像をビデオプリンタで印刷するポートレート作成機能が付加されている。以下、このポートレート作成機能について説明する。
【００１８】
＝＝＝ポートレート作成機能＝＝＝
本発明のポートレート作成機能付きのカラオケ装置１において、重要な点はポートレートを採点部５０が出力する採点データに基づいて作成することにある。図２はポートレート作成機能における主要部であるポートレート作成部３０の構成を示している。ポートレート作成部３０は画像処理制御部３１を主制御部として、ビデオデジタイザ３２、撮影画像格納部３３、変形画像格納部３４とを含んで構成されている。画像処理制御部３１は内部にＣＰＵ、ＲＡＭ、ＲＯＭを含む画像処理用専用マイコンである。カラオケ装置１本体の中央制御部１１とバス６０、７０を介して適宜にデータ通信を行ないながら以下のポートレート作成プロセスを実行していく。
ビデオデジタイザ３２にビデオカメラ４０の撮影映像信号をサンプリングするように指示して被写体の静止画データを生成させる。その静止画データを撮影画像格納部３３に書き込む。この撮影画像格納部３３に記録されている被写体の静止画データに対して適宜な変形処理を加えて変形被写体の静止画データを生成する。この変形被写体の静止画データを変形画像格納部３４に格納する。変形画像格納部３４の画像データは映像制御部２１でアナログビデオ信号に変換されビデオプリンタ４１やディスプレイ２３に入力される。
この変形処理において、画像処理制御部３１は採点部５０からの採点データをデータバス６０を介して受け取り、その採点データに基づいて所定の変形処理を加える。変形処理としては撮影画像格納部３３のあるアドレスのデータを読み取って変形画像格納部３４へ書き込む際、その書き込みアドレスを適宜にずらしたり転移させたりすることで画像の歪曲や拡大／縮小などの変形処理を行う。この読み取りアドレスと書き込みアドレスとのずれの大きさや転移先などを採点データに応じて変えることで得点が反映されたポートレート画像が生成される。本実施例では低得点であるほど、大きく変形されるように設定されている。もちろん、その逆でもよい。
なお、撮影画像格納部３３および変形画像格納部３４はビデオＲＡＭなどによる適宜な画像データ記憶領域である。ビデオＲＡＭは個別に用意してもよいし１つのビデオＲＡＭのメモリ領域を区切って各画像格納部３３、３４を区別してもよい。つぎに、ポートレートの作成手順とカラオケ装置１の動作について説明する。
【００１９】
利用者があるカラオケ楽曲の演奏中にポートレートを作成したい旨をリモコン送信器１７などによって入力する。本実施例において、このユーザ入力は各カラオケ楽曲をリクエストするときに行われる従来の楽曲番号入力に先立って、楽曲番号形式で記述されたある番号を入力することで行われる。それによって、中央制御部１１は楽曲番号にポートレート作成機能が起動する旨を示す適宜な符号を付加してこのカラオケ楽曲の演奏予約処理をする。もちろん、カラオケ楽曲が演奏される直前にポートレート作成指示を入力し、その入力に従ってポートレート作成機能を起動するようにしてもよい。
【００２０】
中央制御部１１はこのポートレートの作成が指示されたカラオケ楽曲を演奏処理する際、採点部５０、ポートレート作成部３０、ビデオカメラ４０をそれぞれ作動させる。また、ポートレート作成部３０の変形画像格納部３４の画像データがディスプレイ２３に表示されるように映像制御部２１の信号入力系統を切替制御する。
ポートレート作成部３０において、ビデオデジタイザ３２が適宜なサンプリング期間毎にビデオカメラ４０からの撮影映像を取り込むことで撮影画像格納部３３に被写体の静止画データが逐次更新されながら書き込まれていく。画像処理制御部３１は撮影画像格納部３３の画像データをそのまま変形画像格納部３４に逐次転写する。したがって、ディスプレイ２３にはビデオカメラ４０の撮影映像が上記のサンプリング期間毎に更新されながら表示される。もちろんサンプリング期間を短くすれば通常の動画による撮影映像と変わらない。ここで、歌唱者などポートレートの作成を希望する利用者はビデオカメラ４０の前に立って、ディスプレイ２３に自分の顔写真が表示されるようにする。
【００２１】
中央制御部１１は演奏処理の開始後、適宜な時間が経過するとポートレート作成部３０の画像処理制御部３１に対し、その時点でサンプリングしている撮影映像を保持するように指示する。画像処理制御部３１は、ビデオデジタイザ３２のサンプリングを中止させ、その時点で撮影画像格納部３３に格納されている画像データを利用者の顔写真の静止画データとして保持する。本実施例ではカラオケ楽曲の前奏中の適宜な時点でこの画像保持指示を発行する。このとき、ディスプレイ２３にポーズや位置を決めるように利用者に促すとともに、画像保持までの時間をカウントダウンする表示をビデオＲＡＭ２０と映像制御部２１を介して行なわせる。なお、利用者がポーズや位置を決めてからユーザ入力によって静止画データを撮影画像格納部３３に保持し、その後で演奏が開始されるようにしてもよい。この静止画を数秒程度ディスプレイ２３に出力させた後、通常の歌詞の入った背景映像が表示されるように映像制御部２１を制御する。
【００２２】
採点部５０は、演奏開始に同期して採点処理を開始する。中央制御部１１は、カラオケ楽曲の歌唱パートの終了を認知すると採点データをデータバス６０上に送出するように指示する。そして、この採点データをポートレート作成部３０に転送する。画像処理制御部３１は、顔写真の静止画データを変形処理し、変形顔写真の静止画データを変形画像格納部３４に書き込む。
【００２３】
中央制御部１１は、カラオケ楽曲の歌唱パートが終了して演奏が終了するまでの期間にポートレートをビデオプリンタ４１で印刷させるための制御を行う。まず、映像制御部２１の信号入力系統を再びポートレート作成部３０側に切り替えさせて変形顔写真をディスプレイ２３に表示させるとともにビデオプリンタ４１に印刷指示を出す。ビデオプリンタ４１は映像制御部２１からのビデオ信号を処理してプリントアウトする。図３は変形処理前の顔写真の静止画とプリントアウトされるポートレートとを対比させて示している。
【００２４】
なお、変形顔写真をディスプレイ２３に表示させず、プリントアウト時に初めて変形顔写真によるポートレートが確認できるようにしてもよい。
【００２５】
＝＝＝その他＝＝＝
上記実施例では、同系統のディスプレイに歌詞画像（背景映像）とポートレート作成処理における情報とを切り替えて表示しているが、別系統のディスプレイを用意して、そこに撮影映像やポートレートおよびその作成に関する各種情報を表示してもよい。
【００２６】
歌唱終了後の総合得点を採点データとしているが、採点区間ごとの得点を採点データとして逐次ポートレート作成部に転送し、画像処理制御部がこの入力に対して逐次変形処理を加えていってもよい。
また、採点区間毎に変形処理の種類（球面、渦巻き、ぼかしなど）を変えることもできる。この変形画像格納部の静止画データを逐次ディスプレイに表示すれば変形過程が見られる。もちろん、この変形過程の画像を背景として歌詞を表示することもできる。
【００２７】
上記実施例ではポートレート（人物の変形顔写真）のみを印刷しているが、このポートレートに装飾枠などの装飾図案を組み合わせて印刷するようにしてもよい。装飾図案の画像データはハードディスク装置などに蓄積しておき、ユーザ入力によって利用者が任意の装飾図案を選択したり、カラオケ装置側でランダムに選択したりするようにすればよい。選択された装飾図案は歌詞画像などと同様にしてビデオＲＡＭにビットマップ展開しておき、映像制御部が変形顔写真の画像データと合成すれば装飾図案付きのポートレートが作成される。
【００２８】
また、この装飾図案を採点機能に連動させ、採点データに基づいて適宜な装飾図案が選択されるようにしてもよい。もちろん、採点区間毎に採点データを受け取って逐次装飾図案が入れ替わるようにすることもできる。
【００２９】
【発明の効果】
カラオケの歌唱力に応じて利用者の顔写真を変形させたポートレートを作成するので興味深いポートレートを作成することができる。しかも、どんなポートレートになるのか歌唱してみないとわからないため、いつも新鮮な気持ちと大きな期待感を持ってこの機能を使用することができる。また、歌唱力が劣っている人でも気軽に採点機能を利用できる。
利用者が印刷されたポートレートを他の人にみせれば、カラオケ会場内はもちろん、他の場所でも大いに場を盛り上げることができる。それはカラオケ店舗にとっても大きな宣伝効果であり、集客力を向上させる。
さらに、従来のカラオケ装置における採点機能やポートレート作成機能を単独で使用するよりはるかに多くの使用機会が見込まれる。ポートレート作成機能に課金をする場合、カラオケ店舗の収益を増加させることもできる。
【００３０】
ポートレートには装飾図案を組み合わせることもできる。そのため、顔写真の変形における不確定性に加え、デザイン的にも優れたポートレートが作成できる。装飾図案を採点データに基づいて選択されるようにすれば、作成されるポートレートは多様性を増し、利用者の期待感をさらに大きくさせ、利用者を飽きさせることがない。
【００３１】
印刷するポートレートをディスプレイに表示すれば、カラオケ会場内の他の同伴者も変形された顔写真をすぐに見ることができる。また、歌詞画像用とは別系統のポートレート作成用ディスプレイを用意することにより、歌唱者とポートレートの人物が異なる場合や歌唱時の自然な表情で顔写真を撮影してもらいたい場合など、カラオケ楽曲を歌唱するときの雰囲気を妨げずにポートレートを作成することができる。
【００３２】
歌唱中に逐次採点データを受け取って変形処理していけば、元の顔写真が徐々に変形していく過程をディスプレイ表示することも可能となり、歌唱中にポートレートの作成状況を楽しむことができる。
【図面の簡単な説明】
【図１】本発明の実施例におけるカラオケ装置の構成図である。
【図２】上記実施例におけるポートレート作成部の構成図である。
【図３】上記カラオケ装置で作成されるポートレートとその原型である顔写真の比較図である。
【符号の説明】
１  カラオケ装置
１１  中央制御部
２１  映像制御部
３０  ポートレート作成部
４０  ビデオカメラ
４１  ビデオプリンタ
５０  採点部
【図１】
0004076616.tif 000002
【図２】
0004076616.tif 000003
【図３】
0004076616.tif 000004